(57)【特許請求の範囲】
【請求項１】
顧客操作部の画面に数字ボタンと金種ボタンを表示し、この数字ボタンにより入力される枚数と金種ボタンによる金種の入力の組み合わせにより出金金額の入力を行う自動取引装置において、
出金金額として金種と共にその金種より金額が大きい他の金種に換算可能な枚数が入力されたとき、両替するか否かを選択する選択画面を前記顧客操作部に表示し、両替が選択された場合、前記入力金種より金額が大きい他の金種の現金に両替して出金することを特徴とする自動取引装置。
【請求項２】
請求項１の自動取引装置において、
前記選択画面に入力金種と入力枚数を表示し、両替が選択されたとき、その入力金種より金額が大きい１つの金種の現金に両替して出金することを特徴とする自動取引装置。
【請求項３】
請求項１の自動取引装置において、
前記選択画面に両替可能な金種、枚数の組み合わせを表示し、選択された組み合わせの現金に両替して出金することを特徴とする自動取引装置。
【請求項４】
顧客操作部の画面に数字ボタンと金種ボタンを表示し、この数字ボタンにより入力される枚数と金種ボタンによる金種の入力の組み合わせにより出金金額の入力を行う自動取引装置において、
金種と枚数による出金金額が入力されたとき、入力通りの金種、枚数の現金を出金した直後、前記顧客操作部に両替取引に移行可能な両替案内画面を表示し、両替取引が選択された場合、前記出金した現金を受け入れて、受け入れた現金の金種より金額が大きい他の金種の現金に両替して出金することを特徴とする自動取引装置。
【発明の詳細な説明】
【技術分野】
【０００１】
本発明は、銀行等の金融機関やコンビニエンスストア等に設置されている両替を伴う出金処理が可能な顧客操作型の自動取引装置に関する。
【背景技術】
【０００２】
従来の自動取引装置として、出金金額の入力を数字ボタン（テンキー）により指定される枚数と金種ボタンの組み合わせで行うものがあり、このような自動取引装置では、例えば数字ボタンで「１０」を押下し、金種ボタンで「千」を押下して「１０千円」と入力すると、千円札を１０枚出金するものとなっている（例えば、特許文献１参照）。
【特許文献１】特開２００１−３４４６３６公報
【発明の開示】
【発明が解決しようとする課題】
【０００３】
しかしながら、上述した従来の技術においては、例えば万円札1枚と千円札1枚を出金するつもり、つまり出金金額を「1万1千円」のつもりで金種を間違えて「１１千円」と入力した場合、千円札が１１枚出金されてしまい、希望する金額、枚数の出金が得られないという問題がある。
本発明は、このような問題を解決することを課題とする。
【課題を解決するための手段】
【０００４】
そこで本発明は、顧客操作部の画面に数字ボタンと金種ボタンを表示し、この数字ボタンにより入力される枚数と金種ボタンによる金種の入力の組み合わせにより出金金額の入力を行う自動取引装置において、  出金金額として金種と共にその金種より金額が大きい他の金種に換算可能な枚数が入力されたとき、両替するか否かを選択する選択画面を前記顧客操作部に表示し、両替が選択された場合、前記入力金種より金額が大きい他の金種の現金に両替して出金することを特徴とする。
【発明の効果】
【０００５】
このようにした本発明は、出金取引時に顧客が金種、枚数を間違えて入力した場合でも、顧客に両替を行うか否かを確認するため、顧客が望む金種、枚数の現金を出金することができるという効果が得られる。
【発明を実施するための最良の形態】
【０００６】
以下、図面を参照して本発明による実施例を説明する。
【実施例】
【０００７】
実施例１
図１は各実施例である自動取引装置の内部ブロック図、図２は自動取引装置の外観説明図である。
図１、図２において、１は自動取引装置、２は各ユニットの動作を制御する主制御部である。
【０００８】
３は顧客に対する操作の誘導と顧客による入力操作を実行させる顧客操作部であり、液晶ディスプレイ等による表示手段と、この自表示手段上に配置したタッチパネルによる入力手段とを備え、表示手段に顧客の操作を誘導するメッセージを配した画面や各種の入力キーを表示し、その入力キーを指で入力手段を介して押下（指触）することにより、入力キーに定義された情報を入力できるものとなっていて、入力された情報の表示等も行うようになっている。
【０００９】
４は取引カードの保持データおよびカード表面のエンボスのイメージを読み取ると共に取引明細書を作成するカードリーダプリンタ、５は取引通帳に取引内容を印字する通帳記帳機、６は入金紙幣の鑑別、計数、収納および出金紙幣の繰出し、鑑別、計数、出金を行う紙幣入出金機、７は入金された硬貨の鑑別、計数、収納および出金硬貨の繰出し、計数、出金を行う硬貨入出金機、８は自動取引装置１での取引実行時にセンタに設けられた図示しないホストコンピュータとの間でデータの通信を行うインターフェースである。
【００１０】
９はカードリーダプリンタ４のカード挿入／排出ならびに明細票の排出を行うカード挿入／排出口、１０は紙幣入出金機６に紙幣の挿入／排出を行う紙幣挿入／排出口、１１は通帳記帳機５に取引通帳を挿入／排出する通帳挿入／排出口、１２は硬貨入出金機７に硬貨の挿入／排出を行う硬貨挿入／排出口、１３は自動取引装置１の前に顧客の有無を検出する近接センサである。
【００１１】
上述した構成の作用について図３のフローチャートを用いて説明する。
以下に説明する各部の動作は、図示しない記憶部に格納されたプログラム（ソフトウェア）に基づいて主制御部２により制御される。
なお、以下の説明において、取引カードからのデータの読み取り、暗証番号の入力、ホストコンピュータとのデータの通信は通常通り行われるものとして、その説明は省略する。
Ｓ１．自動取引装置を使用して顧客が出金取引を開始する。
Ｓ２．顧客操作部３により出金金額を入力する。この場合、顧客操作部３の画面に数字ボタンと金種ボタンを表示し、この数字ボタンにより指定される枚数と金種ボタンによる金種の指定の組み合わせにより出金金額の入力を行う。
Ｓ３．顧客操作部３の画面に表示されている確認ボタンを押すことにより出金金額が確定する。
Ｓ４．Ｓ２での金額入力時に千円券入力が１１枚以上であったかを判断する。
Ｓ５．Ｓ４で千円券入力が１０枚以下と判断した場合、Ｓ２で入力された通りの金種、枚数で紙幣計数を行う。
Ｓ６．Ｓ４で千円券入力が１１枚以上と判断した場合、顧客操作部３にこのままの金種で出金するか両替出金するかを選択するための選択画面を表示する。
【００１２】
図４はこの選択画面の例を示す図で、ここではＳ４で入力された出金金額が１５０００円であって、金種が千円券、枚数が１５枚である場合を示し、これらの金額、金種、枚数と共に入力した金種、枚数で出金を行う場合は、確認ボタンを、千円券１０枚を万円券1枚に両替する場合は、両替ボタンを押下するように促すメッセージおよび確認ボタンと両替ボタンが表示されている。
【００１３】
顧客はこの選択画面で入力した金種、枚数で出金するか両替して出金するかを確認ボタンまたは両替ボタンの押下により選択する。
顧客により確認ボタンが押された場合は、Ｓ５に移行して入力された通りの金種、枚数つまりこの場合は千円券１５枚の紙幣計数を行う。
Ｓ７．顧客により両替ボタンが押された場合は、例えば前記のように金種が千円券、枚数が１５枚で入力されていたとすると、主制御部２は千円券１０枚を万円券１枚に両替し、万円券１枚、千円券５枚の紙幣計数を行う。
Ｓ８．Ｓ５またはＳ７にて計数した紙幣を紙幣排出口より出金する。
Ｓ９．取引が成立し、顧客の出金取引が終了する。
【００１４】
以上説明したように、実施例１では、出金取引時に顧客が意図して千円券の金種と１１枚以上の枚数を入力した場合にはそのままの金種、枚数で、意図せずに千円券の金種と１１枚以上の枚数を入力した場合でも千円券１０枚を万円券１枚に両替して出金することができ、顧客の操作間違いを正すことができることになる。
実施例２
自動取引装置の内部ブロック図は上記実施例１と同様であるために説明は省略する。
上述した構成の作用について図５のフローチャートを用いて説明する。
【００１５】
以下に説明する各部の動作は、上記同様に図示しない記憶部に格納されたプログラム（ソフトウェア）に基づいて主制御部２により制御される。
また、この実施例２においても取引カードからのデータの読み取り、暗証番号の入力、ホストコンピュータとのデータの通信は通常通り行われるものとして、その説明は省略する。
Ｓａ１．自動取引装置を使用して顧客が出金取引を開始する。
Ｓａ２．顧客操作部３により出金金額を実施例１の場合と同様に入力する。
Ｓａ３．顧客操作部３の画面に表示されている確認ボタンを押すことにより出金金額が確定する。
Ｓａ４．Ｓａ２での金額入力時に千円券入力が１１枚以上であったかを判断する。
Ｓａ５．Ｓａ４で千円券入力が１０枚以下と判断した場合、Ｓａ２で入力された通りの金種、枚数で紙幣計数を行う。
Ｓａ６．Ｓａ４で千円券入力が１１枚以上と判断した場合、顧客操作部３にこのままの金種で出金するか両替出金するかを確認するための確認画面を表示する。
【００１６】
図６はこの確認画面の例を示す図で、ここではＳａ４で入力された出金金額が３６０００円であって、金種、枚数が千円券３６枚である場合を示し、そのため「万円券３枚、五千円券１枚、千円券１枚」の組み合わせ、「万円券３枚、千円券６枚」の組み合わせ、「千円券３６枚」による出金を選択するボタンと共に組み合わせを選択したうえで確認ボタンを押下するように促すメッセージと確認ボタンが表示されている。
【００１７】
両替の組み合わせは、主制御部２が演算により求め、顧客はこの選択画面で出金する紙幣の金種、枚数の組み合わせをそのボタンで選択し、さらに確認ボタンを押下する。
ここで、「千円券３６枚」による出金を選択するボタンと確認ボタンが押下された場合、金種の組み合わせは選択されなかったものとし、Ｓａ５に移行して入力された通りの金種、枚数つまりこの場合は千円券３６枚の紙幣計数を行う。
Ｓａ７．Ｓａ６で「万円券３枚、五千円券１枚、千円券１枚」の組み合わせ、または「万円券３枚、千円券６枚」の組み合わせを選択するボタンと確認ボタンが押下された場合、選択された組み合わせの金種、枚数で紙幣計数を行う。
Ｓａ８．Ｓａ５またはＳａ７で計数した紙幣を紙幣排出口１０より出金する。
Ｓａ９．取引が成立し、顧客の出金取引が終了する。
【００１８】
以上説明したように、実施例２では、出金取引時に顧客が千円券の金種と１１枚以上の枚数を入力した場合でも、そのまま出金するか表示された組み合わせに両替して出金するかを選択することが可能となり、顧客の操作間違いを正すことができることになる。
実施例３
自動取引装置の内部ブロック図は上記実施例１と同様であるために説明は省略するが、本実施例では図示しない記憶部に両替取引ビットを有するものとする。
【００１９】
上述した構成の作用について図７のフローチャートを用いて説明する。
以下に説明する各部の動作は、上記同様に図示しない記憶部に格納されたプログラム（ソフトウェア）に基づいて主制御部２により制御される。
この実施例３でも取引カードからのデータの読み取り、暗証番号の入力、ホストコンピュータとのデータの通信は通常通り行われるものとして、その説明は省略する。
Ｓｂ１．自動取引装置を使用して顧客が出金取引を開始する。
Ｓｂ２．顧客操作部３により出金金額を実施例１の場合と同様に入力する。
Ｓｂ３．顧客操作部３の画面に表示された確認ボタンを押すことにより出金金額が確定する。
Ｓｂ４．Ｓｂ２での金額入力時に千円券入力が１１枚以上であったかを判断する。
Ｓｂ５．Ｓｂ４で千円券入力が１１枚以上と判断した場合、両替取引ビットをＯＮ（ｂ＝１）する。
Ｓｂ６．Ｓｂ２で入力された通りの金種、枚数で紙幣計数を行う。
Ｓｂ７．Ｓｂ６にて計数した紙幣を紙幣排出口１０より出金する。
Ｓｂ８．取引が成立し、顧客の出金取引が終了する。
Ｓｂ９．両替取引ビットがＯＮ（ｂ＝１）であるかを判断する。
Ｓｂ１０．両替取引ビットがＯＮ（ｂ＝１）である場合、顧客操作部３に両替案内画面を表示する。
【００２０】
図８はこの両替案内画面の例を示す図であり、引き続き両替取引が可能であり、両替取引のボタンを押下し、通常の取引選択画面に戻る場合は通常取引選択画面ボタンを押下するように促すメッセージと共に両替取引ボタンと通常取引選択画面ボタンを併せて表示している。
Ｓｂ１１．近接センサ１３が顧客を検知しているか否かを判断する。
Ｓｂ１２．近接センサ１３が顧客を検知している場合、顧客操作部３画面の両替取引ボタンが押されたかを判断する。
Ｓｂ１３．Ｓｂ１２で両替取引ボタンが押されていないと判断した場合、顧客操作部３画面の通常取引選択画面ボタンが押されたかを判断する。押されていない場合は、Ｓｂ１１に移行する。
Ｓｂ１４．Ｓｂ１２で両替取引ボタンが押された場合、紙幣挿入口１０を開け、両替取引を実行する。
【００２１】
この場合、Ｓｂ７で出金した紙幣の投入を促す画面を顧客操作部３に表示し、例えば千円券が投入され、投入枚数が１０枚以上と計数された場合、万円券に両替して出金する。
Ｓｂ１５．Ｓｂ１１で近接センサ１３が顧客を検知していない場合、Ｓｂ１４の両替取引が終了した場合またはＳｂ１３で通常取引選択画面ボタンが押された場合、主制御部２は両替取引ビットをＯＦＦ（ｂ＝０）にする。
Ｓｂ１６．顧客操作部３画面に通常取引選択画面を表示する。
【００２２】
以上説明したように、実施例３では、出金取引時に顧客が千円券の金種と１１枚以上の枚数を入力した場合、そのままの入力金種で出金し、その直後に続けてその出金した紙幣を受け入れて両替を行う両替取引に移行可能としているので、千円券を万円券に両替して出金することができる。
なお、上記した各実施例では、金種が千円券で枚数が１１枚以上のときを両替取引移行への分岐点としたが、この枚数は1例であり、万円券に両替可能な１０枚以上であればよい。
【００２３】
また、千円券を万円券、五千円券に両替するだけでなく、入力金種が二千円券や五千円券の場合も万円券に両替することが可能であり、これらの場合も両替取引移行への分岐点の枚数を両替対象金額に応じて任意に設定可能である。
また、各実施例は紙幣の出金取引について説明したが、硬貨の出金取引にも同様に適用可能であり、さらに装置の取扱通貨が外国通貨である場合でも適用可能である。
【図面の簡単な説明】
【００２４】
【図１】実施例を示す自動取引装置の内部ブロック図
【図２】自動取引装置の外観説明図
【図３】実施例１のフローチャート
【図４】実施例１の選択画面の例を示す図
【図５】実施例２のフローチャート
【図６】実施例２の選択画面の例を示す図
【図７】実施例３のフローチャート
【図８】実施例３の両替案内画面の例を示す図
【符号の説明】
【００２５】
１  自動取引装置
２  主制御部
３  顧客操作部
４  カードリーダプリンタ
５  通帳記帳機
６  紙幣入出金機
７  硬貨入出金機
８  インターフェース
９  カード挿入口
１０  紙幣挿入／排出口
１１  通帳挿入／排出口
１２  硬貨挿入／排出口
１３  近接センサ
【図１】
0005119905.tif 000002
【図２】
0005119905.tif 000003
【図３】
0005119905.tif 000004
【図４】
0005119905.tif 000005
【図５】
0005119905.tif 000006
【図６】
0005119905.tif 000007
【図７】
0005119905.tif 000008
【図８】
0005119905.tif 000009